(57)【要約】  下りリンクトラヒックの変更が可能な移動通信端末機及び移動通信網システムと、これを用いた移動通信網でのデータを送信する方法を提供する。下りリンクトラヒックの付加割当て要求のためのあらかじめ設定された少なくとも１つの条件を満足する場合、下りリンクトラヒックの付加割当て要求は、移動端末機（ＭＴ）から基地局（ＢＳ）へ送信される。下りリンクトラヒックの付加割当て要求を受信したＢＳは、下りリンクトラヒックの付加割当てが可能であるかどうかを判断する。下りリンクトラヒックの付加割当てが可能であると判断される場合、ＢＳは、下りリンクトラヒックをＭＴに付加的に割り当て、付加的に割り当てられた下りリンクトラヒックを含む下りリンクトラヒックを用いて、下りリンク信号を送信する。
2007511163.tif 000002
【特許請求の範囲】
【請求項１】
移動通信網におけるデータを送信する方法であって、
前記移動端末機から下りリンクトラヒックの付加割当て要求を受信した基地局が、前記下りリンクトラヒックの付加割当てが可能であるかどうかを判断する第１のステップと、
前記判断の結果、前記下りリンクトラヒックの付加割当てが可能であると判断される場合、前記基地局が該当移動端末機に前記下りリンクトラヒックを付加的に割り当てた後、付加的に割り当てられた前記下りリンクトラヒックを含む下りリンクトラヒックを用いて、下りリンク信号を送信する第２のステップと、
を具備することを特徴とする方法。
【請求項２】
前記下りリンクトラヒックを用いて、移動端末機が受信した下りリンク信号をバッファリングする第３のステップをさらに具備することを特徴とする請求項１記載の方法。
【請求項３】
あらかじめ設定された少なくとも１つの条件を満足する場合、移動端末機が基地局へ下りリンクトラヒックの付加割当て要求を送信する第４のステップをさらに具備することを特徴とする請求項１記載の方法。
【請求項４】
前記移動端末機があらかじめ設定された少なくとも１つの前記条件を判断するステップは、
前記基地局から送信された下りリンク信号を受信した前記移動端末機が、その下りリンク信号の品質を測定する第（１）のステップと、
前記測定値とあらかじめ設定された下りリンク信号の品質に対する基準値とを比較する第（２）のステップと、
前記比較の結果、前記測定値が基準値以上である場合、あらかじめ設定された少なくとも１つの前記条件を満足すると判断する第（３）のステップと、
を具備することを特徴とする請求項３記載の方法。
【請求項５】
前記移動端末機があらかじめ設定された少なくとも１つの前記条件を判断するステップは、
前記移動端末機が内部の資源を用いて、下りリンクデータを付加的に受信することができるか否かを判断するステップと、
前記測定値が基準値以上であり、前記移動端末機の内部の資源を使用して、前記下りリンクデータを付加的に受信することができる場合、あらかじめ設定された少なくとも１つの前記条件を満足するものと判断することを特徴とする請求項３記載の方法。
【請求項６】
前記判断ステップは、
前記移動端末機内のメモリの余裕空間を確認することを特徴とする請求項５記載の方法。
【請求項７】
前記第（１）のステップは、
ＳＮＲ、ＣＩＲ、ＳＩＮＲ、及びＣＲＣの平均エラー回数のうち、少なくともいずれか１つ以上を測定することを特徴とする請求項４記載の方法。
【請求項８】
前記第（２）のステップは、
前記移動端末機で駆動中であるアプリケーションの正常なデータ送信を保証するのに必要なあらかじめ設定された下りリンク信号の品質に対する基準値と前記測定値とを比較することを特徴とする請求項４記載の方法。
【請求項９】
前記第４のステップは、
データフレームのアップリンクサブフレームのうち、前記移動端末機が下りリンク信号の品質情報を前記基地局へ送信するのに必要な所定の領域に下りリンクトラヒックの付加割当て要求ビットを付加し、前記下りリンクトラヒックの付加割当て要求ビットを使用することを特徴とする請求項３記載の方法。
【請求項１０】
前記第４のステップは、
前記移動端末機が下りリンクトラヒックの付加割当て要求メッセージを生成した後、生成された前記メッセージを前記基地局へ送信することを特徴とする請求項３記載の方法。
【請求項１１】
前記移動端末機に付加的に割り当てられた下りリンクトラヒックを取り消すために、前記移動端末機が前記下りリンクトラヒックの付加割当てを取り消すメッセージを生成した後、そのメッセージを前記基地局へ送信するステップをさらに具備することを特徴とする請求項１０記載の方法。
【請求項１２】
前記第４のステップは、
前記移動端末機がピギーバック方式を用いて、下りリンクトラヒックの付加割当て情報を前記基地局へ送信することを特徴とする請求項３記載の方法。
【請求項１３】
付加的に割り当てられた前記下りリンクトラヒックを取り消すために、前記移動端末機が前記ピギーバック方式を用いて、前記下りリンクトラヒックの付加割当てを取り消す情報を前記基地局へ送信することを特徴とする請求項１２記載の方法。
【請求項１４】
前記第４のステップは、
前記移動端末機が帯域幅スチーリング方式を用いて、前記下りリンクトラヒックの付加割当て情報を前記基地局へ送信することを特徴とする請求項３記載の方法。
【請求項１５】
前記移動端末機に付加的に割り当てられた下りリンクトラヒックを取り消すために、前記移動端末機が前記帯域幅スチーリング方式を用いて、前記下りリンクトラヒックの付加割当てを取り消す情報を前記基地局へ送信することを特徴とする請求項１４記載の方法。
【請求項１６】
前記第１のステップは、
前記基地局が、前記基地局に接続された他の移動端末機の送信帯域幅占有状態に基づいて、該当移動端末機に下りリンクトラヒックを付加的に割り当てることを特徴とする請求項１記載の方法。
【請求項１７】
移動通信端末機であって、
下りリンクトラヒックの付加割当て要求のためのあらかじめ設定された少なくとも１つの条件を満足すると、基地局へ下りリンクトラヒックの付加割当て要求を送信することができるように制御動作を遂行する制御部と、
前記制御部の制御により、前記基地局へ前記下りリンクトラヒックの付加割当て要求を送信する送信部と、
前記要求に応じて、付加的に割り当てられた下りリンクトラヒックを含む下りリンクトラヒックを用いて、前記基地局から送信された下りリンク信号を受信する受信部と
を具備することを特徴とする移動通信端末機。
【請求項１８】
前記受信部から受信された下りリンク信号を、あらかじめ設定された単位の出力時間ごとに出力される単位データに分離して、その単位データの出力時間情報と共に記憶するメモリをさらに具備することを特徴とする請求項１７記載の移動通信端末機。
【請求項１９】
前記メモリに記憶された各単位データの出力時間情報に基づいて、対応する単位データを出力するデータ出力部をさらに具備することを特徴とする請求項１８記載の移動通信端末機。
【請求項２０】
前記制御部は、
前記受信された下りリンク信号に基づく測定値があらかじめ設定された下りリンク信号品質の基準値以上であり、移動端末機の内部の資源を使用して下りリンクデータを付加的に受信することができる場合、前記下りリンクトラヒックの付加割当てを要求するように制御することを特徴とする請求項１７記載の移動通信端末機。
【請求項２１】
前記制御部は、
前記受信された下りリンク信号に基づく測定値があらかじめ設定された下りリンク信号品質の基準値以上であり、移動端末機の内部の資源を使用して下りリンクデータを付加的に受信することができる場合、前記下りリンクトラヒックの付加割当てを要求するように制御することを特徴とする請求項１８記載の移動通信端末機。
【請求項２２】
前記制御部は、
前記受信された下りリンク信号に基づく測定値があらかじめ設定された下りリンク信号品質の基準値以上であり、移動端末機の内部の資源を使用して下りリンクデータを付加的に受信することができる場合、前記下りリンクトラヒックの付加割当てを要求するように制御することを特徴とする請求項１９記載の移動通信端末機。
【請求項２３】
前記制御部は、
データフレームのアップリンクサブフレームのうち、前記移動端末機が下りリンク信号の品質情報を前記基地局へ送信するのに必要な所定の領域に下りリンクトラヒックの付加割当て要求ビットを付加し、前記下りリンクトラヒックの付加割当て要求ビットを使用して、前記下りリンクトラヒックの付加割当てを要求するように制御することを特徴とする請求項１７記載の移動通信端末機。
【請求項２４】
前記制御部は、
データフレームのアップリンクサブフレームのうち、前記移動端末機が下りリンク信号の品質情報を前記基地局へ送信するのに必要な所定の領域に下りリンクトラヒックの付加割当て要求ビットを付加し、前記下りリンクトラヒックの付加割当て要求ビットを使用して、前記下りリンクトラヒックの付加割当てを要求するように制御することを特徴とする請求項１８記載の移動通信端末機。
【請求項２５】
前記制御部は、
データフレームのアップリンクサブフレームのうち、前記移動端末機が下りリンク信号の品質情報を前記基地局へ送信するのに必要な所定の領域に下りリンクトラヒックの付加割当て要求ビットを付加し、前記下りリンクトラヒックの付加割当て要求ビットを使用して、前記下りリンクトラヒックの付加割当てを要求するように制御することを特徴とする請求項１９記載の移動通信端末機。
【請求項２６】
前記制御部は、
下りリンクトラヒックの付加割当て要求メッセージを生成した後、生成された前記メッセージを前記基地局へ送信することができるように制御することを特徴とする請求項１７記載の移動通信端末機。
【請求項２７】
前記制御部は、
下りリンクトラヒックの付加割当て要求メッセージを生成した後、生成された前記メッセージを前記基地局へ送信することができるように制御することを特徴とする請求項１８記載の移動通信端末機。
【請求項２８】
前記制御部は、
下りリンクトラヒックの付加割当て要求メッセージを生成した後、生成された前記メッセージを前記基地局へ送信することができるように制御することを特徴とする請求項１９記載の移動通信端末機。
【請求項２９】
前記制御部は、
ピギーバック方式を用いて、下りリンクトラヒックの付加割当て情報を前記基地局へ送信することができるように制御することを特徴とする請求項１７記載の移動通信端末機。
【請求項３０】
前記制御部は、
ピギーバック方式を用いて、下りリンクトラヒックの付加割当て情報を前記基地局へ送信することができるように制御することを特徴とする請求項１８記載の移動通信端末機。
【請求項３１】
前記制御部は、
ピギーバック方式を用いて、下りリンクトラヒックの付加割当て情報を前記基地局へ送信することができるように制御することを特徴とする請求項１９記載の移動通信端末機。
【請求項３２】
前記制御部は、
帯域幅スチーリング方式を用いて、下りリンクトラヒックの付加割当て情報を前記基地局へ送信することができるように制御することを特徴とする請求項１７記載の移動通信端末機。
【請求項３３】
前記制御部は、
帯域幅スチーリング方式を用いて、下りリンクトラヒックの付加割当て情報を前記基地局へ送信することができるように制御することを特徴とする請求項１８記載の移動通信端末機。
【請求項３４】
前記制御部は、
帯域幅スチーリング方式を用いて、下りリンクトラヒックの付加割当て情報を前記基地局へ送信することができるように制御することを特徴とする請求項１９記載の移動通信端末機。
【請求項３５】
移動通信網システムであって、
下りリンクトラヒックの付加割当てが可能であると判断された場合、該当移動通信端末機に下りリンクトラヒックを付加的に割り当て、付加的に割り当てられた前記下りリンクトラヒックを含む下りリンクトラヒックを用いて下りリンク信号を送信する基地局を具備することを特徴とする移動通信網システム。
【請求項３６】
前記基地局は、
前記基地局に接続された他の移動端末機の送信帯域幅占有状態に基づいて、該当移動端末機に前記下りリンクトラヒックを付加的に割り当てることを特徴とする請求項３５記載の移動通信網システム。
【請求項３７】
前記移動端末機は、
前記基地局から受信された下りリンク信号に基づく測定値があらかじめ設定された下りリンク信号品質の基準値以上であり、移動端末機の内部の資源を使用して下りリンクデータを付加的に受信することができる場合、前記下りリンクトラヒックの付加割当てを要求するように制御することを特徴とする請求項３６記載の移動通信網システム。
【請求項３８】
前記移動端末機は、
データフレームのアップリンクサブフレームのうち、前記移動端末機が下りリンク信号の品質情報を前記基地局へ送信するのに必要な所定の領域に前記下りリンクトラヒックの付加割当て要求ビットを付加し、前記下りリンクトラヒックの付加割当て要求ビットを使用して、前記下りリンクトラヒックの付加割当てを要求するように制御することを特徴とする請求項３６記載の移動通信網システム。
【請求項３９】
前記移動端末機は、
前記下りリンクトラヒックの付加割当て要求メッセージを生成した後、生成された前記メッセージを前記基地局へ送信することによって、前記下りリンクトラヒックの付加割当てを要求することを特徴とする請求項３６記載の移動通信網システム。
【請求項４０】
前記移動端末機は、
ピギーバック方式を用いて、前記下りリンクトラヒックの付加割当て情報を前記基地局へ送信することによって、前記下りリンクトラヒックの付加割当てを要求することを特徴とする請求項３６記載の移動通信網システム。
【請求項４１】
前記移動端末機は、
帯域幅スチーリング方式を用いて、前記下りリンクトラヒックの付加割当て情報を前記基地局へ送信することによって、前記下りリンクトラヒックの付加割当てを要求することを特徴とする請求項３６記載の移動通信網システム。
【発明の詳細な説明】
【技術分野】
【０００１】
本発明は、下りリンクトラヒックの変更が可能な移動通信端末機及び移動通信網システムと、これを用いた移動通信網でのデータを送信する方法に関し、特に、基地局と移動端末機との距離に従う送信品質を反映することによって、サービス品質を高めることができる移動通信網でのデータを送信する方法に関する。
【背景技術】
【０００２】
通常、移動通信網において、移動端末機は、基地局（Base Station；以下、‘ＢＳ'と称する）の周辺に位置し、移動端末機（Mobile Terminal；以下、‘ＭＴ'と称する）は、ＢＳを介してアップリンク基盤データを送信し、ＢＳから無線で下りリンク基盤データを受信する。このとき、移動通信網は、無線送信の特性に従って、ＢＳから所定の距離以内に位置したＭＴにのみサービスを提供することができる。これは、ＢＳとＭＴとの距離に比例して信号減衰が発生するためである。移動通信網において、ＢＳは、所定の距離の間隔で位置する。ユーザの移動に従って、ＭＴは、任意の１つのＢＳから他のＢＳへそのアクセスポイント（access point）を変更しつつ移動通信を遂行する。このように、アクセスポイントを変更する過程は、ハンドオフ（hand-off）と呼ばれ、コールライフタイム（call lifetime）の間に遂行される。
【０００３】
図１は、従来技術による移動通信網の構成を示す。図１を参照すると、ＢＳ１０は、ＢＳ１０からの信号を受信することができる所定の領域“Ａ”内に位置したＭＴ２１及びＭＴ２３の多様な種類の通信関連情報を管理して、通信サービスを制御する。この場合、ＢＳ１０によって管理される領域“Ａ”をセル（cell）と呼ぶ。このように、移動通信サービスのための広い地域を複数のセルに区分して、移動通信サービスを支援する移動通信システムを“セルラー（cellular）移動通信システム”と称する。このようなセルラー移動通信システムが与えられた地理的な領域に複数のセルを１つのシステムとして構成するので、ＢＳとＭＴとの無線区間には、信号減衰以外にも、周辺セルからの信号による減衰がさらに発生する。このような信号減衰現象のために、セルエッジ（cell edge）では、通常急激な信号減衰が発生する。このような減衰現象が発生すると、ＭＴ及びＢＳは、信号減衰情報又はＭＴの移動方向を考慮してハンドオフを遂行する。
【０００４】
通常、データシステムリンクの送信速度は、リンク性能によって決定される。移動通信網において、離隔した距離によって減衰が増加するということは、該当リンクの性能が低下されることを意味する。従って、ＭＴがＢＳに近く位置する場合には、送信速度が速くなる。一方、ＭＴがＢＳから遠く離れて位置する場合には、送信速度が遅くなる。
【０００５】
図１に示す例において、第１のＭＴ２１は、第１の距離ｄ１だけＢＳ１０から離隔し、第２のＭＴ２３は、第２の距離ｄ２だけＢＳ１０から離隔する。しかしながら、第１のＭＴ２１の送信品質は、第２のＭＴ２３よりもＢＳ１０にさらに近い位置にあるので、第２のＭＴ２３の送信品質よりも優れる。すなわち、第１のＭＴ２１の送信速度は、第２のＭＴ２３の送信速度よりも速い。
【０００６】
図２は、移動通信網におけるＢＳとＭＴとの間の距離“ｄ”とデータ送信速度“Ｖ”との関係を示すグラフである。図２において、ＭＴがデータ通信を正常に遂行するために保証されなければならない送信速度を“ＶＭＴ”と仮定する。この場合、ＢＳとＭＴとの間の距離“ｄ”が“０”であると、ＭＴのデータ送信速度“Ｖ”は、最高となる。結果的に、ＢＳとＭＴとの距離“ｄ”が“ｄＭＴ”である場合、ＭＴのデータ送信速度“Ｖ”は、“ＶＭＴ”である。ＢＳとＭＴとの距離“ｄ”が“ｄＭＴ”よりも大きくなると、ＭＴのデータ送信速度“Ｖ”は、“ＶＭＴ”以下に減少される。
【０００７】
このようなＢＳとＭＴとの間のデータ送信速度の変化は、ユーザの要求に応じて、所定の映像及び音楽を提供するオンデマンドサービス（on demand service）、例えば、ＶＯＤ（Video On Demand）及びＭＯＤ（Music On Demand）の場合、ＭＴの位置に従うサービス品質の差を発生させる。例えば、信号減衰がひどい区間、すなわち、図２に示すように、ＢＳとＭＴとの距離が“ｄＭＴ”よりも大きい区間では、通常、オンデマンドサービスに対する最小の送信速度を満足することができない。従って、上記区間では、オンデマンドサービスを使用する間に、サービスが中断される場合が度々発生する。一方、ＢＳがＭＴ近くに位置した区間、すなわち、図２に示すように、ＢＳとＭＴとの距離が“ｄＭＴ”よりも小さい区間では、ＢＳ及びＭＴの送信速度がオンデマンドサービスが要求する送信速度よりも速い。すなわち、この場合、ＢＳは、ＭＴに許容された送信速度（例えば、単位時間当たり送信されるデータ量）以上にデータを送信することが可能である。このような理由にもかかわらず、ＢＳは、あらかじめ設定された送信速度値のみに従ってデータを送信するので、あらかじめ設定された上記送信速度よりも大きい速度でデータを送信しない。
【０００８】
結果的に、従来では、データ通信のために使用可能な資源を適切に活用することができない。すなわち、効率的なデータ送信を遂行することができない、という問題があった。
【発明の開示】
【発明が解決しようとする課題】
【０００９】
上記背景に鑑みて、本発明の目的は、移動通信網におけるデータ送信効率を高めることができる移動通信端末機及び移動通信網システムと、これを用いてデータを送信する方法を提供することにある。
【００１０】
本発明の他の目的は、基地局と移動端末機との間でデータを送信する際、使用可能な残りの資源を最大限に活用することができる移動通信端末機及び移動通信網システムと、これを用いてデータを送信する方法を提供することにある。
【００１１】
本発明のさらなる目的は、移動通信網におけるオンデマンドサービスをさらに安定して提供することができる移動通信端末機及び移動通信網システムと、これを用いてデータを送信する方法を提供することにある。
【課題を解決するための手段】
【００１２】
このような目的を達成するために、本発明の第１の特徴によれば、移動通信網におけるデータを送信する方法は、上記移動端末機から下りリンクトラヒックの付加割当て要求を受信した基地局が、上記下りリンクトラヒックの付加割当てが可能であるかどうかを判断する第１のステップと、上記判断の結果、上記下りリンクトラヒックの付加割当てが可能であると判断される場合、上記基地局が該当移動端末機に下りリンクトラヒックを付加的に割り当てた後、付加的に割り当てられた上記下りリンクトラヒックを含む下りリンクトラヒックを用いて、下りリンク信号を送信する第２のステップとを具備することを特徴とする。
【００１３】
本発明の第２の特徴によれば、移動通信端末機は、下りリンクトラヒックの付加割当て要求のためのあらかじめ設定された少なくとも１つの条件を満足すると、基地局へ上記下りリンクトラヒックの付加割当て要求を送信することができるように制御動作を遂行する制御部と、上記制御部の制御により、上記基地局へ上記下りリンクトラヒックの付加割当て要求を送信する送信部と、上記要求に応じて、付加的に割り当てられた下りリンクトラヒックを含む下りリンクトラヒックを用いて、上記基地局から送信された下りリンク信号を受信する受信部とを具備することを特徴とする。
【００１４】
本発明の第３の特徴によれば、移動通信網システムは、下りリンクトラヒックの付加割当てが可能であると判断された場合、該当移動通信端末機に上記下りリンクトラヒックを付加的に割り当て、付加的に割り当てられた上記下りリンクトラヒックを含む下りリンクトラヒックを用いて下りリンク信号を送信する基地局を具備することを特徴とする。
【発明の効果】
【００１５】
本発明は、移動通信網のデータを送信する際、基地局と移動端末機との距離に基づく送信品質を反映することによって、移動通信網のサービス品質を高めることができる。すなわち、移動通信網のデータ送信効率を高めることができる。従って、基地局と移動端末機間との間でデータを送信する場合、使用可能な残りの資源を最大に活用することができ、移動通信網でのオンデマンドサービスをさらに安定して提供することができる、という長所がある。また、本発明は、インターネットの主なトラヒック形態であるベストエフォート型送信サービス（best effort delivery service）に基づくトラヒック送信に適用する場合、基地局は、移動端末機の資源要求に応じて基地局の残りの資源を活用して短期間に移動端末機に対する資源を割り当てることができるので、周波数資源の運用効率を増大させ、移動端末機の資源要求を迅速に満足させることができるので、サービスを効率的に支援することができる、という長所がある。
【発明を実施するための最良の形態】
【００１６】
以下、本発明の好適な一実施例を添付図面を参照しつつ詳細に説明する。下記の説明において、本発明の要旨のみを明瞭にする目的で、関連した公知の機能又は構成に関する具体的な説明は省略する。
【００１７】
図３は、本発明の一実施形態による移動通信網でのデータを送信する方法を示すフローチャートである。さらに詳細には、図３は、本発明の一実施形態に従って、基地局（ＢＳ）１０と移動端末機（ＭＴ）２０との間でデータを送信する過程を示す。この場合、ＢＳ１０は、通常のデータ接続点（access point）の役割を遂行しながら、ＭＴ２０とのデータの送受信のための無線資源の割当てを担当する。さらに、ＢＳ１０は、ＭＴ２０から信号の減衰程度の報告を受けることができる。一方、ＭＴ２０は、ＢＳ１０から割り当てられた無線資源の消費主体として、ＢＳ１０から受信された信号の品質を測定することができ、ＭＴ内のメモリの最小の使用程度及びオンデマンドサービスの種類別、又は、この組合せに従って要求される送信速度を支援しなければならない。さらに望ましい本発明の実施形態では、オンデマンドサービスを用いるために、ＭＴ２０は、瞬間的に割り当てられる無線資源（例えば、送信速度など）とＢＳ１０から受信された信号の品質の測定結果とを比較することができる。
【００１８】
図３は、本発明の一実施形態による移動通信網でのデータを送信する方法を示すフローチャートである。
【００１９】
まず、ＢＳ１０は、ＭＴ２０へ下りリンク信号を送信し（Ｓ１０５）、ＭＴ２０は、上記下りリンク信号の品質を測定する（Ｓ１１０）。このとき、上記下りリンク信号の品質を判断するのに必要な測定値は、通信システムにおいて通常使用される値、例えば、ＳＮＲ（Signal to Noise Ratio）、ＣＩＲ（Carrier to Interference Ratio）、ＳＩＮＲ（Signal to Interference and Noise Ratio）、及びＣＲＣ（Cyclic Redundancy Checking）の平均エラー回数である。特に、下りリンク信号の品質を測定するためには、上記測定値間の移動平均（moving average）値を用いる。これは、瞬間的なチャンネルの状況変化（例えば、高速フェージング（fast fading）など）による測定値のエラーをフィルタリング（filtering）するためである。
【００２０】
上述したように、下りリンク信号の品質を測定したＭＴ２０は、測定値とあらかじめ設定された基準値とを比較する（Ｓ１１５）。すなわち、現在ＭＴ２０で駆動中であるアプリケーション（例えば、オンデマンドサービスの種類）の正常なデータ送信を保証するのに必要なあらかじめ設定された基準値と上記測定された下りリンク信号の品質とを比較する。
【００２１】
そして、上記下りリンク信号の品質が上記基準値以上である場合、ＭＴ２０の内部の使用可能な資源を確認した後（Ｓ１２０）、使用可能な資源が存在していると判断されると（Ｓ１２５）、ＭＴ２０は、下りリンクトラヒックの付加割当て要求をＢＳ１０へ送信する（Ｓ１３０）。例えば、ＭＴ２０内のメモリの状態、ＣＰＵの占有状態などを確認して、ＭＴ２０が下りリンクトラヒックの付加を受け入れることができる余裕があるか否かを判断した後、上記判断結果に従って、ＭＴ２０が上記下りリンクトラヒックの付加を受け入れることができると、ＭＴ２０は、上記下りリンクトラヒックの付加割当て要求をＢＳ１０へ送信する。
【００２２】
本発明は、図３に示した実施形態に限定されず、ステップＳ１１０、Ｓ１１５、Ｓ１２０、Ｓ１２５の処理過程は、その順序が相互に変更可能である。すなわち、図３では、ＭＴ２０が受信した下りリンク信号の品質が、あらかじめ設定された基準値以上である場合、ＭＴ２０の内部に使用可能な資源が存在するかどうかを確認して、下りリンクトラヒックの付加割当てを要求する場合について示しているが、ＭＴ２０は、ＭＴ２０の内部に使用可能な資源が存在するかどうかをまず確認し、上記使用可能な資源が存在する場合、下りリンク信号の品質を確認して、上記下りリンクトラヒックの付加割当てを要求することも可能である。
【００２３】
このとき、ステップＳ１３０で、ＭＴ２０が基地局１０へ下りリンクトラヒックの付加割当て要求を送信する方法は、多様に実現することができる。
【００２４】
例えば、広帯域無線接続通信システムの場合、アップリンクのためのデータフレームは、ＭＴ２０から下りリンク信号の品質情報をＢＳ１０へ送信するために設定されたフィールドを含む。従って、広帯域無線接続通信システムのように、アップリンクのためのデータフレームに上記品質情報フィールドが設定されている通信システムにおいて、ＭＴ２０は、上記品質情報フィールドを用いて、ＢＳ１０へ下りリンクトラヒックの付加割当て要求を送信することが望ましい。
【００２５】
図４は、移動通信網でＭＴが下りリンク信号の品質情報をＢＳへ送信するためのアップリンクデータフレームの構成例を示す。図４（ａ）は、ＭＴが下りリンク信号の品質情報をＢＳへ送信するために、通常、５ビットの領域をＭＴごとに割り当てた場合の例を示し、図４（ｂ）は、図４（ａ）に示す通常の５ビットの領域を含むアップリンクデータフレームに下りリンクトラヒックの付加割当て要求を示す１ビットの領域（以下、トラヒック付加要求領域）を付加した場合の例を示す。図４（ａ）に示すように、上記下りリンクトラヒックの付加割当て要求を示す領域は、斜線で示される。
【００２６】
図３をさらに参照すると、ステップＳ１３０で、ＭＴ２０がＢＳ１０へ上記下りリンクトラヒックの付加割当て要求を送信するために、図４（ｂ）に示すアップリンクデータフレームを使用する場合、ＭＴ２０は、同一のアップリンク領域のうち、 自身に割り当てられたアップリンクデータフレームの下りリンクトラヒックの付加割当て要求領域に、上記下りリンクトラヒックの付加要求信号を乗せてＢＳ１０へ送信する。例えば、ＭＴ２０は、自身に割り当てられた上記下りリンクトラヒックの付加割当て要求領域のビット値を“１”に設定してＢＳ１０へ送信する。上記下りリンクトラヒックの付加割当てを要求しない場合、ＭＴ２０は、自身に割り当てられた上記下りリンクトラヒックの付加割当て要求領域のビット値を“０”に設定してＢＳ１０へ送信する。
【００２７】
ステップＳ１３０で、ＭＴ２０がＢＳ１０へ下りリンクトラヒックの付加割当て要求を送信する方法の他の例は、上記下りリンクトラヒックの付加割当てを要求するか、又は取り消すための別途のメッセージを使用することも可能である。この場合、ＭＴ２０は、上りリンク専用チャンネルとは別途に、下りリンクトラヒックの付加割当て要求メッセージを生成してＢＳ１０へ送信し、その要求の取消しを希望する場合、上記下りリンクトラヒックの付加割当て取消しメッセージを生成してＢＳ１０へ送信する。
【００２８】
また、ＭＴ２０は、ピギーバック（piggybacking）方式、又は、帯域幅スチーリング（bandwidth stealing）方式を用いて、ＢＳ１０へ上記下りリンクトラヒックの付加割当て要求メッセージ、又は、上記下りリンクトラヒックの付加割当て取消しメッセージを送信することもできる。このとき、ピギーバック方式とは、パケットスケジューラー（Packet scheduler）によって確認された使用可能なパケットデータ空間（例えば、残りの空間）を使用して、特定のデータを送信するための方式を意味し、帯域幅スチーリング方式とは、特定のデータを送信するためのデータ送信帯域の一部分をスチーリングして、特定のデータを送信する方式を意味する。上記ピギーバック方式及び上記帯域幅スチーリング方式は、データ送信分野においてよく知られた技術である。
【００２９】
これ以外にも、ステップ１３０を遂行することができるように、ＭＴ２０とＢＳ１０との間でデータを送信する他のすべての方式を使用することが可能であることは、勿論である。
【００３０】
すると、上記下りリンクトラヒックの付加割当て要求を受信したＢＳ１０は、スケジューラー（scheduler）と連動して、該当ＭＴ２０に資源の割当てが付加的に可能であるかどうかを判断する（Ｓ１３５）。その次に、該当ＭＴ２０に資源の割当てが付加的に可能である場合、該当ＭＴ２０に資源を付加的に割り当てる（Ｓ１４０）。そして、ステップ１４０で、付加的に割り当てられた下りリンクトラヒックを介して下りリンク信号を送信する（Ｓ１４５）。例えば、ＭＴ２０が送信帯域幅を付加的に要求する場合、ＢＳ１０は、ＭＴ２０が送信帯域幅を付加的に要求した時区間で、該当ＢＳ１０に接続された他のＭＴの送信帯域幅の占有状態を判断した後、上記時区間で他のＭＴによって占有されない送信帯域幅をＭＴ２０に付加的に割り当てる。
【００３１】
すると、ＭＴ２０は、付加的に送信された下りリンク信号をバッファリングした後（Ｓ１５０）、バッファリングされた上記下りリンク信号の出力時間に該当下りリンク信号を出力する（Ｓ１５５）。例えば、ＭＴ２０が５ｍｓ間隔で出力される複数の映像情報を同時に受信する場合、ＭＴ２０は、上記複数の映像情報が上記映像情報と共に出力される時間を示す情報をバッファリングし、所望の間隔で（例えば、５ｍｓ間隔で）再生される映像情報を選択して出力する。
【００３２】
すなわち、ＭＴ２０は、データの送信速度が速い区間で、ＢＳ１０から大量のデータをあらかじめ受信してバッファリングし、データの送信速度が遅い区間では、そのバッファリングされたデータを使用することによって、オンデマンドサービスを持続的に提供することができる。
【００３３】
図５は、ＯＦＤＭＡ方式に基づく広帯域無線接続通信システムの通常なデータフレームの構成を示す。図５を参照すると、通常の広帯域無線接続通信システムのデータフレームは、アップリンク（uplink；ＵＬ）／ダウンリンク（downlink；ＤＬ）サブフレームをすべて含む。上記ＵＬと上記ＤＬサブフレームとの間には、ＴＴＧ（Transmit Time Gap）及びＲＴＧ（Receive Time Gap）を含む。図５に示す例では、上記ＤＬサブフレームが左側に位置し、上記ＵＬサブフレームが右側に位置する。データフレームは、プリアンブル（preamble）、ＵＬマップ（ＭＡＰ）、及びＤＬマップをそれぞれ含む。特に、図５の例において、上記フレームは、ＤＣＤ（downlink channel descriptor）メッセージ及びＵＣＤ（uplink channel descriptor）メッセージを送信することができるように、ＤＬマップの後にＤＣＤメッセージを含み、ＵＬマップの後にＵＣＤメッセージを含む。
【００３４】
上記ＤＬマップ／ＵＬマップは、ＤＬ／ＵＬサブフレームを複数の区間に分けて、各区間の位置情報、各区間に対するＣＩＤ（Connection ID）、及びＤＩＵＣ（Downlink Interval Usage Code）／ ＵＩＵＣ（Uplink Interval Usage Code）を割り当てる。このとき、上記ＣＩＤは、加入者識別コードとして該当区間がどんな加入者ＭＴのためのデータを送信しているかを示し、上記ＤＩＵＣ／ＵＩＵＣは、用途関連値、変調方式（modulation type）値、及びＦＥＣ（Forward Error Correction）コード値を含む。上記ＣＩＤは、該当区間のデータ用途、変調方式、及びＦＥＣコードを示す。
【００３５】
上記のようなデータフレームの構成を有する広帯域無線接続通信システムの場合、上記データフレームのアップリンクサブフレームのうち、加入者ＭＴのそれぞれの下りリンク信号の品質情報を送信するためのＣＱＩ（Channel Quality Information）フィードバック領域“Ｂ”に上記下りリンクトラヒックの付加割当て要求ビットを加入者ＭＴ別に付加する。ＭＴがフィードバック領域“Ｂ”を活用することができるように実現することが望ましい。
【００３６】
図６は、広帯域無線接続通信システムにおける通常のデータフレームのＤＬ ＭＡＰで、区間別ユーザにＤＩＵＣを割り当てる概念を示す。図６を参照すると、ＤＬマップは、ダウンリンクサブフレームを７つの区間に分けて、その７つの区間をユーザＡ〜ユーザＦに割り当て、各区間では、ＤＩＵＣ１乃至ＤＩＵＣ７のうちいずれか１つのＤＩＵＣにマッピングされた変調方式及びエンコーディングコードに従ってデータを処理することができるように設計される。例えば、ユーザＡに割り当てられた区間では、ＤＩＵＣ１にマッピングされた変調方式及びエンコーディングコードに従ってデータを処理し、ユーザＦに割り当てられた区間では、ＤＩＵＣ７にマッピングされた変調方式及びエンコーディングコードに従ってデータを処理することができるように設計される。
【００３７】
各加入者ＭＴに対するダウンリンクが常に同時に発生するものではないので、上記区間中、占有されない区間が発生する。
【００３８】
従って、ＢＳは、占有されない上記区間で、下りリンクトラヒックの付加割当てビットを要求したＭＴに上記下りリンクトラヒックを付加的に割り当てる。
【００３９】
図７は、本発明の一実施形態に従って、ＢＳからＭＴへの下りリンクトラヒック変更結果を送信するのに必要なデータフレームの一例を示す。すなわち、図７は、ユーザＡがＢＳに上記下りリンクトラヒックの付加割当て要求を送信する場合、ユーザＥに割り当てられたが、 ユーザＡが上記下りリンクトラヒックの付加を要求した時点で、ユーザＥに占有されない区間をユーザＡに付加的に割り当てた場合に対する例を示している。
【００４０】
図４（ｂ）に示すように、ＭＴがアップリンクサブフレームに付加された特定のビットを用いて、フレーム間隔ごとに下りリンクトラヒックの付加割当てを要求する場合、ＢＳは、自身の資源状況を考慮して、該当フレームのみに基づいて上記下りリンクトラヒックを割り当てる。
【００４１】
しかしながら、ＭＴが上りリンク専用チャンネル又は別途のメッセージを用いて、上記下りリンクトラヒックの付加割当てを要求するか、ピギーバック方式又は帯域幅スチーリング方式を使用して上記下りリンクトラヒックの付加割当てを要求する場合、ＢＳは、次の付加割当て要求が受信されるか、又は、該当付加割当てを取り消すまで、上記下りリンクトラヒックの付加割当てを維持する。
【００４２】
付加的な資源割当て要求がＢＳに到着してデコーディング（decoding）され、資源割当てに反映されるが、通常、数フレームに該当する時間が所要される。ＢＳが資源の付加割当て要求、又は、資源の付加割当て取消しを認識した時点で、ＢＳは、付加的な資源を支援するかどうかを決定し、該当動作を遂行する。
【００４３】
図８は、本発明の一実施形態に従って、付加された下りリンクトラヒックデータを受信したＭＴに提供されたメモリに下りリンクデータを記憶する一例を示す。すなわち、ＢＳが付加的に割り当てた下りリンクトラヒックを用いて、下りリンクデータを付加的に受信したＭＴは、受信された上記下りリンクデータをあらかじめ設定された単位出力時間ごとに出力される単位データに分離する。上記単位データは、出力される時間情報と共にバッファリングされる。図８は、上記下りリンクデータがバッファリングされる例を示す。図８を参照すると、Ｔｉｍｅ １で出力されるＤａｔａ １、Ｔｉｍｅ ２で出力されるＤａｔａ ２、及びＴｉｍｅ ３で出力されるＤａｔａ ３がＭＴでバッファリングされる。現在の時間は、Ｔｉｍｅ １が指定する時間範囲内に存在する。従って、ＭＴは、現在の時間でＤａｔａ １を出力する。
【００４４】
図９は、本発明の一実施形態によるＭＴ２００の構成を概略的に示すブロック図である。図９を参照すると、本発明の一実施形態によるＭＴ２００は、受信部２１０、制御部２２０、送信部２３０、メモリ２４０、及びデータ出力部２５０を含む。
【００４５】
制御部２２０は、上記下りリンクトラヒックの付加割当て要求のための所定の条件を満足すると、ＢＳに下りリンクトラヒックの付加割当てを要求するように制御動作を遂行する。例えば、制御部２２０は、ＢＳから受信された下りリンク信号の品質があらかじめ設定された基準値以上であり、ＭＴ２００の内部の資源を使用して上記下りリンクデータを付加的に受信することができる場合、上記下りリンクトラヒックの付加割当て要求をＢＳへ送信することができるように制御動作を遂行する。このとき、ＭＴの内部の資源は、上記下りリンクデータを記憶することができるメモリ空間を含む。
【００４６】
制御部２２０の制御下で、ＢＳへ上記下りリンクトラヒックの付加割当て要求を送信する方法は、すでによく知られたデータ送信方法を用いて実現できる。すなわち、ＢＳとＭＴとの間でデータを送信する多様な方法を用いて、上記下りリンクトラヒックの付加割当て要求を送信することができる。このような下りリンクトラヒックの付加割当て要求方法の一例は、上述した通りである。
【００４７】
送信部２３０は、制御部２２０の制御下で、ＢＳへ上記下りリンクトラヒックの付加割当て要求を送信する。例えば、送信部２３０は、上記下りリンクトラヒックの付加割当て要求メッセージをＢＳへ送信する。
【００４８】
受信部２１０は、上記要求に応じて、付加的に割り当てられた上記下りリンクトラヒックを用いて、ＢＳから送信された下りリンク信号を受信する。
【００４９】
メモリ２４０は、受信部２１０が受信した上記下りリンク信号をあらかじめ設定された単位出力時間ごとに出力される単位データに分離して、その単位データが出力される時間情報と共に記憶する。メモリ２４０のデータ記憶方式の例については、図８を参照して上述された。
【００５０】
データ出力部２５０は、メモリ２４０に記憶された各単位データの出力時間情報に基づいて該当単位データを出力する。データ出力部２５０は、データを可聴的に出力するスピーカー、及び／又は、データを可視的に出力するディスプレー部を含む。従って、データ出力部２５０は、上記データを可聴的なデータ、または可視的なデータのうちのいずれか１つの形態で出力する。
【００５１】
以上、本発明の詳細について具体的な実施形態に基づき説明してきたが、本発明の範囲を逸脱しない限り、各種の変形が可能なのは明らかである。従って、本発明の範囲は、上記実施形態に限定されるものではなく、特許請求の範囲の記載及び該記載と同等なものにより定められるべきである。
【図面の簡単な説明】
【００５２】
【図１】移動通信網における一般的な構成を示す図である。
【図２】移動通信網における基地局と移動端末機との間の距離に対するデータ送信速度の関係を示す図である。
【図３】本発明の一実施形態による移動通信網でのデータを送信する方法を示すフローチャートである。
【図４】移動通信網における移動端末機が下りリンク信号の品質情報を基地局へ送信するのに必要なアップリンクデータフレームのフォーマットを示す図である。
【図５】ＯＦＤＭＡ方式の広帯域無線接続通信システムにおける通常のデータフレームのフォーマットを示す図である。
【図６】広帯域無線接続通信システムにおける通常のデータフレームのＤＬ ＭＡＰで、区間別にユーザにＤＩＵＣを割り当てる概念を示す図である。
【図７】本発明の一実施形態による基地局の下りリンクトラヒック変更結果を移動端末機へ送信するのに必要なデータフレームの一例を示す図である。
【図８】本発明の一実施形態によって、付加された下りリンクトラヒックデータを受信した移動端末機で提供したメモリに下りリンクデータを記憶する一例を示す図である。
【図９】本発明の一実施形態による移動端末機の構成を概略的に示すブロック図である。
【符号の説明】
【００５３】
２１０  受信部
２２０  制御部
２３０  送信部
２４０  メモリ
２５０  データ出力部
【図１】
2007511163.tif 000003
【図２】
2007511163.tif 000004
【図３】
2007511163.tif 000005
【図４】
2007511163.tif 000006
【図５】
2007511163.tif 000007
【図６】
2007511163.tif 000008
【図７】
2007511163.tif 000009
【図８】
2007511163.tif 000010
【図９】
2007511163.tif 000011
【国際調査報告】
2007511163.tif 000012
2007511163.tif 000013